(57)【要約】【課題】  賞球箱の移動や入替えを行うときに下皿が邪魔にならないパチンコ機を実現する。【解決手段】  下皿１０は、パチンコ機本体１ａの前方へ突出した第１の姿勢と、後端を回動軸にして前端を上方へ回動させて垂直姿勢となり、上皿６の下方に収納された形態となる第２の姿勢とに変化可能になっている。下皿１０の下方に置かれた賞球箱を持ち上げるときに下皿１０を第２の姿勢に変化させれば下皿１０が邪魔にならない。また、下皿１０に貯留されている賞球は、開口部５４からパチンコ機本体内部へ流出し、補助皿部材に貯留される。補助皿球抜きレバーの操作部２５ｄを操作すると、補助皿部材に貯留されている賞球を排出口５６から賞球箱へ排出させることができる。【選択図】  図６
2006000359.tif 000002
【特許請求の範囲】
【請求項１】
遊技球を発射する遊技球発射装置と、この遊技球発射装置により発射された遊技球が流下する遊技領域と、この遊技領域に設けられた入賞口と、この入賞口に遊技球が入賞した場合に賞球を払出す賞球払出装置と、この賞球払出装置により払出された前記賞球を貯留する上皿と、この上皿の下方に設けられており、前記上皿に貯留されている遊技球の数が貯留可能な数を超えている場合に前記賞球払出装置により排出された賞球を貯留する下皿とを備えたパチンコ機において、
前記下皿は、その後端がパチンコ機本体の前面に軸止されているとともに、その前端を上方へ回動させていない第１の姿勢と前記後端を回動軸にして前記前端を上方へ回動させた第２の姿勢とに変化可能に設けられており、
前記前面に開口形成されており、前記第２の姿勢の前記下皿に貯留されている賞球を前記パチンコ機本体の内部へ流出させるための開口部と、
この開口部の後方に設けられており、その開口部から流出した賞球を貯留するための補助皿部材と、
この補助皿部材に形成されており、その補助皿部材に貯留されている賞球を抜くための球抜き孔と、
この球抜き孔を開閉する開閉部材と、
この開閉部材を開閉操作するために設けられており、操作部が前記前面から前方へ突出して設けられた操作手段と、
前記前面に開口形成されており、前記球抜き孔から抜かれた賞球を前記パチンコ機本体の外部へ排出するための排出口と、
前記球抜き孔から抜かれた賞球を前記排出口の後面開口部へ案内する案内部材と、
前記パチンコ機本体の内部に設けられており、前記賞球払出装置により払出された前記賞球を流下させる流下樋と、
前記下皿が前記第１の姿勢になっている場合は、前記流下樋内部の流下路を前記開口部に連通する流下路に変換するとともに、前記下皿が前記第２の姿勢になっている場合は、前記流下樋内部の流下路を前記補助皿部材に連通する流下路に変換する流下路変換手段と、
を備えたことを特徴とするパチンコ機。
【発明の詳細な説明】
【技術分野】
【０００１】
この発明は、上皿の貯留可能な数を超えて払出された賞球を貯留する下皿を備えたパチンコ機に関する。
【背景技術】
【０００２】
図８は従来のパチンコ機の正面説明図である。
パチンコ機５００に備えられた発射レバー５０１を右回転させると、遊技球発射装置（図示省略）が作動し、上皿５０７に貯留されている遊技球が遊技領域５０２へ発射され、その発射された遊技球は遊技領域５０２を流下する。その遊技球が遊技領域５０２に設けられた第１種始動口５０３または普通入賞口５０４，５０５に入賞すると、賞球払出装置（図示省略）が作動し、所定個数の遊技球が賞球として上皿５０７に払出される。また、遊技球が第１種始動口５０３に入賞すると、特別図柄表示装置５０９が複数の特別図柄（例えば０〜９の数字を表現した特別図柄）を配列した図柄列を横方向３つの表示領域にて上下方向に変動表示する。そして、変動開始から所定時間経過すると、３つの表示領域にて計３つの停止図柄を表示する。その停止図柄が大当り図柄（例えば図示するような７７７など）であった場合は大当りが発生し、開閉扉５０８が開放され、大入賞口５０６が開口する。大入賞口５０６の開閉は所定回数実行され、短時間で多くの入賞が発生し、大量の賞球が払出される。上皿５０７が賞球で満杯になると、賞球は、下皿５１０に払出される。また、上皿５０７に設けられている球抜きレバー５１１を操作すると、上皿５０７に貯留されている賞球を下皿５１０へ抜くことができる。
【０００３】
【特許文献１】特開２００１−１４９６０５号公報
【発明の開示】
【発明が解決しようとする課題】
【０００４】
図９は、図８に示したパチンコ機に備えられた下皿を右側面から見た部分説明図である。遊技者は、下皿５１０の下方に賞球箱６００を配置して遊技を行う。下皿５１０に設けられた球抜きレバー５１２を操作すると、下皿５１０の底面に球抜き孔が開口され、その球抜き孔から賞球を賞球箱６００へ抜くことができるようになっている。そして、遊技者は、賞球箱６００が賞球で満杯になると、賞球箱６００を床に置き、新たな賞球箱と入れ替えて遊技を継続する。
しかし、図９に示すように、下皿５１０の直下に賞球箱６００が置かれているため、賞球箱６００を持ち上げるときに下皿５１０が邪魔になるため、賞球箱の移動や入替作業を滑らかに行うことができないという問題がある。
特に、大当りが発生すると、短時間に大量の賞球が払出され、賞球箱の入替えを何回も行う状況になるため、上記の問題が顕著となって現れる。
【０００５】
そこでこの発明は、上述の問題を解決するためになされたものであり、賞球箱の移動や入替えを行うときに下皿が邪魔にならないパチンコ機を実現することを目的とする。
【課題を解決するための手段】
【０００６】
この発明は、上記目的を達成するため、請求項１に記載の発明では、遊技球を発射する遊技球発射装置と、この遊技球発射装置により発射された遊技球が流下する遊技領域と、この遊技領域に設けられた入賞口と、この入賞口に遊技球が入賞した場合に賞球を払出す賞球払出装置（７０）と、この賞球払出装置（７０）により払出された前記賞球を貯留する上皿（６）と、この上皿（６）の下方に設けられており、前記上皿（６）に貯留されている遊技球の数が貯留可能な数を超えている場合に前記賞球払出装置（７０）により排出された賞球を貯留する下皿（１０）とを備えたパチンコ機において、前記下皿（１０）は、その後端（１８ａ）がパチンコ機本体（１ａ）の前面（５１）に軸止されているとともに、その前端（１１ａ）を上方へ回動させていない第１の姿勢と前記後端（１８ａ）を回動軸にして前記前端（１１ａ）を上方へ回動させた第２の姿勢とに変化可能に設けられており、前記前面（５１）に開口形成されており、前記第２の姿勢の前記下皿（１０）に貯留されている賞球を前記パチンコ機本体（１ａ）の内部へ流出させるための開口部（５４）と、この開口部（５４）の後方に設けられており、その開口部（５４）から流出した賞球を貯留するための補助皿部材（２０）と、この補助皿部材（２０）に形成されており、その補助皿部材（２０）に貯留されている賞球を抜くための球抜き孔（２４ａ）と、この球抜き孔（２４ａ）を開閉する開閉部材（２５ａ）と、この開閉部材（２５ａ）を開閉操作するために設けられており、操作部（２５ｄ）が前記前面（５１）から前方へ突出して設けられた操作手段（２５）と、前記前面（５１）に開口形成されており、前記球抜き孔（２４ａ）から抜かれた賞球を前記パチンコ機本体（１ａ）の外部へ排出するための排出口（５６）と、前記球抜き孔（２４ａ）から抜かれた賞球を前記排出口（５６）の後面開口部へ案内する案内部材（３０）と、前記パチンコ機本体（１ａ）の内部に設けられており、前記賞球払出装置（７０）により払出された前記賞球を流下させる流下樋（６１、６２、６４）と、前記下皿（１０）が前記第１の姿勢になっている場合は、前記流下樋（６１、６２、６４）内部の流下路（６１ａ、６２ａ、６４ａ）を前記開口部（５４）に連通する流下路に変換するとともに、前記下皿（１０）が前記第２の姿勢になっている場合は、前記流下樋（６１、６２、６４）内部の流下路（６１ａ、６２ａ、６４ａ）を前記補助皿部材（２０）に連通する流下路に変換する流下路変換手段（４０）とを備えたという技術的手段を用いる。
【０００７】
（発明の作用）
下皿（１０）の前端（１１ａ）が上方へ回動されていない第１の姿勢から、前端（１１ａ）を持ち上げると、下皿（１０）は、後端（１８ａ）を回動軸にして前端（１１ａ）を上方へ回動させ、第２の姿勢へ変化する。このとき、下皿（１０）に貯留されている賞球は、パチンコ機本体（１ａ）の前面（５１）に開口形成された開口部（５４）からパチンコ機本体（１ａ）の内部に流出し、その開口部（５４）の後方に設けられた補助皿部材（２０）に貯留される。そして、パチンコ機本体（１ａ）の前面（５１）から前方へ突出した操作部（２５ｄ）を操作すると、補助皿部材（２０）に貯留されている賞球が、補助皿部材（２０）の球抜き孔（２４ａ）から抜かれ、パチンコ機本体（１ａ）の前面（５１）に開口形成された排出口（５６）からパチンコ機本体（１ａ）の外部へ排出され、下皿（１０）の下方に置かれている賞球箱（９０）に貯留される。
また、下皿（１０）が第１の姿勢になっている場合は、流下路変換手段（４０）により、賞球払出装置（７０）から払出された賞球は、開口部（５４）から下皿（１０）へ流下する。また、下皿（１０）が第２の姿勢に変化している場合は、流下路変換手段（４０）により、賞球払出装置（７０）から払出された賞球は、補助皿部材（２０）へ流下する。
なお、上記各段落における括弧内の符号は、後述する実施形態において用いられている符号と対応するものである。
【発明の効果】
【０００８】
下皿の前端が上方へ回動されていない第１の姿勢から、下皿の後端を回動軸にして前端を上方へ回動させた第２の姿勢へ変化させることができるため、下皿の下方に置かれた賞球箱を移動したり入れ替えたりするときに下皿が邪魔にならない。
また、第２の姿勢に変化した下皿に貯留されている賞球をパチンコ機本体の内部に設けられた補助皿部材に貯留し、操作手段を操作することにより、補助皿部材に貯留されている賞球をパチンコ機本体の外部へ排出させ、下皿の下方に置かれている賞球箱に貯留することができる。
さらに、下皿が第２の姿勢に変化しているときに賞球払出装置により払出された賞球を補助皿部材へ流下させ、補助皿部材に貯留することができるため、下皿が第２の姿勢に変化している状態で遊技を行うことができる。また、その状態で操作手段を操作すれば、補助皿部材に貯留されている賞球をパチンコ機本体の外部へ排出し、賞球箱に貯留することができる。
さらに、下皿が賞球で満杯になったときに下皿を上方へ回動させて下皿内の賞球を全部補助皿部材へ流下させた後に再度下皿を回動前の状態に戻せば、賞球を下皿に貯留することができるため、下皿および補助皿部材の両方に賞球を貯留することができる。
従って、従来よりも貯留可能な賞球数を増加させることができる。
【発明を実施するための最良の形態】
【０００９】
［全体の主要構成］
まず、この実施形態のパチンコ機の主要構成について、パチンコ機の正面説明図である図１を参照して説明する。
パチンコ機１には、外殻を構成する外枠２が設けられており、その外枠２にはガラス枠３が開閉可能に取付けられている。ガラス枠３の内側には遊技盤４が設けられており、外枠２の前面右下方には、遊技盤４の遊技領域へ遊技球を発射する発射装置（図示省略）を操作する発射レバー５ａが、発射ハンドル５に回動可能に取付けられている。遊技盤４の下方には上皿６が設けられており、上皿６の下方には、回動下皿装置８がパネル板５０に設けられている。また、上皿６の上端右側には、上皿６に貯留されている遊技球を回動下皿装置８の下皿１０へ抜くための上皿球抜き操作部材６ａが設けられている。さらに、図６に示すように、上皿６の前面下端には、下皿１０が上方へ回動するときに通過する切欠部６ｂが切欠き形成されている。切欠部６ｂの下方には、回動した下皿１０を収容する収容空間が形成されており、その収容空間に収容された下皿１０は、上皿６の前面から奥まった位置に存在する。
なお、図示しないが、遊技盤４には、図８に示した従来のパチンコ機５００に備えられているような第１種始動口、普通入賞口、特別図柄表示装置、開閉扉および大入賞口などが備えられており、特別図柄表示装置により大当り図柄が表示されると、大当りが発生するようになっている。
【００１０】
［回動下皿装置８の構造］
次に、この発明の特徴である回動下皿装置８の構造について図２ないし図７を参照して説明する。
図２は、回動下皿装置８の取付状態を示す斜視説明図であり、図３は、回動下皿装置８の構成部材を分解して示す斜視説明図である。図４は、パチンコ機１の裏面を示す説明図であり、図５は、流下樋および下皿１０の接続構成を示す斜視説明図である。図６（Ａ）は下皿１０が上方へ回動していない状態を示す斜視説明図であり、図６（Ｂ）は下皿１０が上方へ回動した状態を示す斜視説明図である。図７（Ａ）は図６（Ａ）の状態を右側面から見た縦断面図であり、図７（Ｂ）は図６（Ｂ）の状態を右側面から見た縦断面図である。
なお、以下の説明では、パチンコ機１の中央から右方または左方を外方とし、右方または左方から中央を向く方を内方という。
【００１１】
図３に示すように、回動下皿装置８は、下皿１０と、補助皿部材２０と、球抜き流下樋３０と、流下路変換装置４０とを備える。下皿１０は、上方から見ると横長の矩形状の外形を呈しており、横長の矩形状に形成された下皿前部１１と、この下皿前部１１と対向して後方に配置された下皿後部１８と、下皿前部１１および下皿後部１８の各端部間にそれぞれ形成された下皿側部１３，１３と、下皿前部１１、下皿後部１８および下皿側部１３，１３により囲まれた範囲の下部に形成された下皿底部１５とを備える。下皿底部１５の後部には、下皿後部１８の後端１８ａから前方に向けて下り勾配となった下り傾斜面１２が形成されている。その下り傾斜面１２の下り方向であって、下皿底部１５の中央には、下皿１０に貯留されている賞球を賞球箱へ抜くための下皿球抜き孔１５ａが開閉可能に貫通形成されている。
下皿前部１１の中央部下端には、横長の切欠部１１ｂが切欠き形成されている。その切欠部１１ｂには、下皿球抜きレバー１６が左右方向へ移動可能に配置されている。その下皿球抜きレバー１６を指で左方へ移動させると、下皿球抜きレバー１６と一体形成された開閉板１６ａが左方へ移動し、その開閉板１６ａにより閉口されていた下皿球抜き孔１５ａが開口する。また、下皿球抜きレバー１６から指を離すと、バネなどの復元機構（図示省略）により、下皿球抜きレバー１６が操作前の位置へ戻り、開閉板１６ａにより下皿球抜き孔１５ａが閉口される。
【００１２】
各下皿側部１３の後部上方であって、後端１８ａに近い個所には、下皿軸部材１４が外方へ突出してそれぞれ設けられている。下皿後部１８の中央には、変換突起１７が後方へ突出して設けられている。この変換突起１７は、下皿１０の回動に伴って、後述する変換板４７を回動させることにより、賞球の流下路を変換させるためのものである。この実施形態では、変換突起１７は、横断面が横長の矩形状に形成されており、図７（Ｂ）に示すように、下皿後部１８から後方へ水平方向に延出した水平部１７ａと、その水平部１７ａの先端から後方斜め上方へ延出した先端部１７ｂとから構成されている。
パネル板５０の前面５１には、軸受５５，５５が設けられている。各軸受５５の相対向する面には、下皿１０の下皿軸部材１４を回動可能に軸止するための軸孔５５ａがそれぞれ形成されている。軸受５５と軸受５５との中間位置における前面５１には、下皿１０が軸孔５５ａを回動中心にして、その前端１１ａを上方へ回動させた第２の姿勢に変化したときに、下皿１０に貯留されている賞球をパチンコ機本体１ａの内部へ流出させるための開口部５４が開口形成されている。開口部５４は、賞球が複数個同時に流出可能な大きさに開口形成されており、この実施形態では、横長の矩形状に開口形成されている。
【００１３】
開口部５４の下部には、下皿１０の変換突起１７の先端部１７ｂを挿通するための挿通孔５７が開口形成されている。図７（Ａ）に示すように、下皿１０は、前端１１ａを上方へ回動させていない第１の姿勢になっているときは、変換突起１７の先端部１７ｂが挿通孔５７に挿通された状態になっている。挿通孔５７の下部には、排出口５６が挿通孔５７と連通して開口形成されている。この排出口５６は、後述する補助皿部材２０から流下した賞球を賞球箱へ排出させるためのものである。また、左側の軸受５５の左方には、後述する補助皿球抜きレバー２５の操作部２５ｄを左右方向へ移動可能に挿通するためのスリット５３が開口形成されている。また、右側の軸受５５の右方には、発射ハンドル５を取付けるための取付部５２が設けられている。
【００１４】
補助皿部材２０は、第２の姿勢に変化した下皿１０から開口部５４を介して流出した賞球を貯留するためのものである。補助皿部材２０は、上方から見ると横長の矩形状を呈しており、横長の矩形状に形成された補助皿後部２１と、この補助皿後部２１に対向して前方に配置された補助皿前部２３と、補助皿後部２１および補助皿前部２３の各両端部間に形成された補助皿側部２２，２２と、補助皿後部２１、補助皿前部２３および補助皿側部２２，２２の各下端により囲まれた範囲に形成された補助皿底部２４とを備える。
補助皿前部２３の中央には、流入口２３ａが開口形成されている。この流入口２３ａは、第２の姿勢に変化した下皿１０から開口部５４を介して後方へ流出した賞球を補助皿部材２０の内部へ案内するためのものである。
補助皿底部２４の中央付近には、補助皿部材２０に貯留されている賞球を下方へ抜くための補助皿球抜き孔２４ａが開閉可能に開口形成されている。補助皿部材２０の左側には、補助皿球抜きレバー２５が左右方向へ移動可能に配置されている。補助皿球抜きレバー２５は、補助皿部材２０の下面から左方へ突出した第１アーム２５ｂと、この第１アーム２５ｂの先端から前方へ延出した第２アーム２５ｃと、この第２アーム２５ｃの先端に設けられた操作部２５ｄとを備える。第１アーム２５ｂは、補助皿球抜き孔２４ａを開閉する開閉板２５ａと連結されている。操作部２５ｄを指で左方へ移動させると、第１アーム２５ｂも左方へ移動し、第１アーム２５ｂに連結された開閉板２５ａが左方へ移動し、その開閉板２５ａにより閉口されていた補助皿球抜き孔２４ａが開口する。また、操作部２５ｄから指を離すと、バネなどの復元機構（図示省略）により、補助皿球抜きレバー２５が操作前の位置へ戻り、開閉板２５ａにより補助皿球抜き孔２４ａが閉口される。
【００１５】
球抜き流下樋３０は、賞球を前方斜め下方へ流下させるための流下路３３ａを備える。流下路３３ａは、補助皿部材２０の補助皿球抜き孔２４ａから抜かれた賞球をパネル板５０に開口形成された排出口５６に向けて流下させるためのものである。
球抜き流下樋３０は、パネル板５０の背面に、流下路３３ａの流出口３３ｃが排出口５６と連通するように取付けられる。この実施形態では、球抜き流下樋３０は、横長の板状に形成されており、その上面３２の中央部には凹部３３が形成されており、その凹部３３の底部に流下路３３ａが形成されている。流下路３３ａは、凹部３３の後面３３ｂの下端から前方に向けて下り勾配に形成されている。
球抜き流下樋３０の前面３１には、球抜き流下樋３０をパネル板５０の背面に取り付けるためのボルトやビスを挿通する挿通孔３１ａが前後方向に貫通形成されている。
補助皿部材２０の底面には、取付用の突起部が下向きに突出形成されており、その突起部を球抜き流下樋３０の上面に開口形成された嵌合孔３８に嵌め込むことにより球抜き流下樋３０の上面に固定される。このとき、補助皿部材２０の補助皿球抜き孔２４ａと、球抜き流下樋３０の凹部３３の上流側とが対向する関係になる。
また、球抜き流下樋３０の上面後部左側には、この球抜き流下樋３０の上面に固定された補助皿部材２０の補助皿球抜きレバー２５の第１アーム２５ｂを左右方向に移動可能に収容する第１アーム移動用空間３５が上面に向けて開口形成されている。その第１アーム移動用空間３５と凹部３３との間には、開閉板移動用空間３６が上面に向けて開口形成されている。開閉板移動用空間３６は、補助皿球抜きレバー２５を左方向へ操作したときに左方向へ移動する開閉板２５ａを収容するための空間であり、凹部３３および第１アーム移動用空間３５に連通している。なお、この実施形態では、補助皿部材２０が賞球を貯留可能な数は、下皿１０が賞球を貯留可能な数と略同一に設定されている。
【００１６】
流下路変換装置４０は、上方から流下してきた賞球の流下路を、第１の姿勢になっている下皿１０へ流下する流下路、または、下皿１０が第２の姿勢になっているときの補助皿部材２０へ流下する流下路に変換するためのものである。流下路変換装置４０は、上方から流下した賞球が流入する補助流下樋４８と、この補助流下樋４８に流入した賞球の流下方向を変換するための変換板４７とを備える。この実施形態では、補助流下樋４８は、略凸形状に形成されており、その内部には、賞球が通過可能な空間が形成されている。補助流下樋４８の上面４２には、上方から流下した賞球が流入するための流入口４２ａが、内部の空間に連通するように開口形成されており、正面には、流出入口４６が、内部の空間に連通するように開口形成されている。図７に示すように、球抜き流下樋３０の上面に流下路変換装置４０が取付けられた状態において、パネル板５０の開口部５４と流下路変換装置４０の流出入口４６とが連通する。
つまり、流出入口４６は、図７（Ａ）に示すように、下皿１０が上方へ回動していない第１の姿勢になっているときに、賞球払出装置７０から払出され、流入口４２ａから流入した賞球をパネル板５０の開口部５４から下皿１０へ流出させ、あるいは、図７（Ｂ）に示すように、下皿１０が上方へ回動したときに下皿１０に貯留されている賞球を開口部５４から補助流下樋４８の空間へ流入させる。
【００１７】
補助流下樋４８は、相対向する側面部材４１，４１を備えており、各側面部材４１の前端には、前方に向けて開口された切欠部４１ａがそれぞれ切欠き形成されている。各側面部材４１の下端からは、補助流下樋４８を球抜き流下樋３０の上面に取付けるための取付部４４が外方に向けてそれぞれ延出されている。各取付部４４には、ネジまたはビスなどを挿通するための挿通孔４４ａが上下方向にそれぞれ貫通形成されている。各取付部４４には、変換板４７の軸部材４７ｃを回動可能に軸止するための軸受部材４５がそれぞれ上方に向けて突出して設けられている。各軸受部材４５には、変換板４７の軸部材４７ｃを回動可能に軸止するための軸孔４５ａがそれぞれ左右方向に貫通形成されている。各切欠部４１ａと、各軸孔４５ａとは相互に対向する位置に配置されている。各切欠部４１ａは、その内部において変換板４７の回動部４７ｂが回動可能な大きさおよび形状に形成されている。
【００１８】
変換板４７は、賞球の流下路を変換する変換部４７ａと、この変換部４７ａの前端を補助流下樋４８の軸受部材４５に回動可能に軸止するための回動部４７ｂ，４７ｂとを備える。変換部４７ａは、補助流下樋４８の空間内を回動可能であるとともに、変換部４７ａの外縁と、補助流下樋４８の内壁面との間に賞球の直径よりも小さい隙間が形成される大きさおよび形状に形成されている。この実施形態では、変換部４７ａは、板状に形成されており、各回動部４７ｂは、それぞれ略棒状に形成されている。各回動部４７ｂは、変換部４７ａの前部側面からそれぞれ外方へ突出して形成されており、各回動部４７ｂの外方端面には、軸部材４７ｃがそれぞれ外方へ突出して設けられている。各軸部材４７ｃは、補助流下樋４８の対応する軸孔４５ａにそれぞれ軸止され、各回動部４７ｂは対応する切欠部４１ａにそれぞれ挿通される。これにより、変換板４７の前部両端が補助流下樋４８の軸孔４５ａに軸止され、補助流下樋４８の空間内を回動可能になっている。また、変換板４７は、その裏面が支持されていない状態になると、変換部４７ａの自重により、後方へ回動する。
補助流下樋４８は、ネジやビスを各挿通孔４４ａへ挿通し、それを球抜き流下樋３０の上面に設けられた各挿通孔３７にねじ込むことにより、球抜き流下樋３０の上面に固定される。
【００１９】
［パチンコ機１の裏側の機構］
図４に示すように、パチンコ機１の裏側上部には、島（島とは、店内の通路や壁で区画された複数のパチンコ機のグループである）の上方を流れる遊技球を取り入れて貯留するための球タンク８０が備えられている。球タンク８０の下部には、球タンク８０に貯留されている遊技球を流下させるためのタンクレール８１が接続されており、タンクレール８１の流下方向端部には、タンクレール８１を流下した遊技球を取り込んで賞球として払出すための賞球払出装置７０が取付けられている。賞球払出装置７０の払出側には、流下樋６０が接続されている。流下樋６０は、賞球払出装置７０により払出された賞球を上皿６へ流下させるための払出流下樋６１と、上皿６が貯留超過となったときに賞球払出装置７０から払出された賞球を下皿１０へ流下させるための第１余剰流下樋６２と、第２余剰流下樋６４とを備える。
図５に示すように、払出流下樋６１の下部には、流下案内部材６３が取付けられており、上皿６が貯留超過になるまでは、払出流下樋６１を流下した賞球は、流下案内部材６３によって案内され、流下案内部材６３に開口形成された流出口６３ａから上皿６へ流入する。
第１余剰流下樋６２の流下方向先端部には、第２余剰流下樋６４が取付けられている。第２余剰流下樋６４の流下方向先端部の下面には、第２余剰流下樋６４内部の流下路６４ａを流下する賞球が流出する流出口６４ｂが開口形成されている。流出口６４ｂは、補助流下樋４８の流入口４２ａと連通している。
【００２０】
［回動下皿装置８の作用］
例えば、今、大当りが発生し、賞球払出装置７０により払出された賞球で上皿６が満杯になっている状態であるとする。また、下皿１０は、図７（Ａ）に示すように、上方へ回動していない第１の姿勢になっているとする。この状態では、下皿１０の変換突起１７はパネル板５０の挿通孔５７から後方へ突出しており、その突出した変換突起１７の先端部１７ｂが変換板４７の変換部４７ａの前方寄り裏面に当接しており、先端部１７ｂが変換板４７ａを上方へ持上げ、図面上で反時計方向へ回動させた状態になっている。つまり、変換板４７の変換部４７ａは前方へ下り傾斜した状態になっている。
このため、賞球払出装置７０により払出された賞球は、払出流下樋６１の流下路６１ａ、第１余剰流下樋６２の流下路６２ａ、第２余剰流下樋６４の流下路６４ａの順に流下し、第２余剰流下樋６４の流出口６４ｂから補助流下樋４８の流入口４２ａから補助流下樋４８の内部空間に流入する。このとき、変換板４７の変換部４７ａは前方へ下り勾配となっているため、補助流下樋４８の内部空間に流入した賞球は、変換部４７ａの上面を前方斜め下方へ転動し、その転動方向に開口された流出入口４６からパネル板５０の開口部５４を通過して下皿１０へ流入する。
【００２１】
そして、下皿１０に貯留されている賞球が増加したときに下皿１０の前端１１ａを上方に持ち上げて下皿１０を後方へ回動させ、下皿１０を略垂直姿勢の第２の姿勢に変化させると、図７（Ｂ）に示すように、変換板４７の裏面を支持していた変換突起１７の先端部１７ｂが変換板４７の裏面から離れ、パネル板５０の挿通孔５７から前方へ離脱する。これにより、裏面からの支持を失った変換板４７は、変換部４７ａの自重により、後方下向きに回動し、変換部４７ａの下端が補助皿部材２０の補助皿底部２４の上面に当接したところで、変換板４７の回動が停止する。これにより、変換部４７ａは、その後端が下降した状態となり、変換板４７の前端から後端に向けて下り勾配となった下り傾斜面が形成される。つまり、流出入口４６の開口面下端から補助皿部材２０の補助皿底部２４の上面に向けて下り勾配となった下り傾斜面が形成される。
このため、下皿１０に貯留されている賞球は、パネル板５０の開口部５４から補助流下樋４８の流出入口４６を通過し、変換板４７の変換部４７ａを転がり落ち、補助皿部材２０に流入する。
【００２２】
このとき、下皿１０は上方へ回動して第２の姿勢に変化し、賞球箱９０の上方に存在しないため、賞球箱を移動したり持ち上げたりするときに下皿１０が邪魔にならない。
そして、下皿１０を回動させて第１の姿勢に戻すと、変換板４７は、変換突起１７の先端部１７ｂによって再び押し上げられ、上皿６の貯留超過となって流下した賞球を再び下皿１０へ流下させることができる。そして、再び下皿１０が賞球で満杯になったときに、パネル板５０の前面５１のスリット５３から前方へ突出した操作部２５ｄを左方向へ移動させると、開閉板２５ａが左方向へ移動し、補助皿部材２０の補助皿球抜き孔２４ａが開口され、補助皿部材２０に貯留されている賞球が補助皿球抜き孔２４ａから下方に流下し、球抜き流下樋３０の流下路３３ａに落下し、その流下路３３ａを前方斜め下方に転動し、球抜き流下樋３０の流出口３３ｃからパネル板５０の排出口５６を通過して賞球箱９０へ排出される。なお、下皿１０を上方へ回動させた状態で操作部２５ｄを操作した場合でも、補助皿部材２０に貯留されている賞球を賞球箱９０へ排出することができる。
【００２３】
［最良の形態の効果］
（１）以上のように上記最良の形態のパチンコ機１を使用すれば、下皿１０の前端１１ａが上方へ回動されていない第１の姿勢から、下皿１０の後端１８ａを回動軸にして前端１１ａを上方へ回動させた第２の姿勢へ変化させることができるため、下皿１０の下方に置かれた賞球箱９０を移動したり入れ替えたりするときに下皿１０が邪魔にならない。
（２）しかも、第２の姿勢に変化した下皿１０に貯留されている賞球をパチンコ機本体１ａの内部に設けられた補助皿部材２０に貯留し、補助皿球抜きレバー２５を操作することにより、補助皿部材２０に貯留されている賞球を排出口５６からパチンコ機本体１ａの外部へ排出させ、下皿１０の下方に置かれている賞球箱９０に貯留することができる。
（３）また、下皿１０が第２の姿勢に変化しているときに賞球払出装置７０により払出された賞球を補助皿部材２０へ流下させ、補助皿部材２０に貯留することができるため、下皿１０が第２の姿勢に変化している状態で遊技を行うことができる。また、その状態で補助皿球抜きレバー２５を操作すれば、補助皿部材２０に貯留されている賞球を排出口５６からパチンコ機本体１ａの外部へ排出し、賞球箱９０に貯留することができる。
（４）さらに、下皿１０が賞球で満杯になったときに下皿１０を上方へ回動させて下皿１０内の賞球を全部補助皿部材２０へ流下させた後に再度下皿１０を回動前の状態に戻せば、賞球を下皿１０に貯留することができるため、下皿１０および補助皿部材２０の両方に賞球を貯留することができる。
従って、従来よりも貯留可能な賞球数を増加させることができる。
【００２４】
［他の実施形態］
（１）下皿底部１５の一部または全部を透光性材料（例えば、透明または半透明の合成樹脂）により形成することもできる。この構成を用いれば、下皿１０が上方へ回動した第２の姿勢に変化した状態でも、下皿底部１５を透かして下皿１０の内部を見ることができるため、賞球の流出状況を容易に知ることができる。
（２）前記各実施形態において記載した各部材および機構は一例であり、設計変更できることは勿論である。
【００２５】
［請求項１と実施形態との対応関係］
補助皿球抜き孔２４ａが請求項１に記載の球抜き孔に対応し、開閉板２５ａが開閉部材に対応する。補助皿球抜きレバー２５が操作手段に対応し、球抜き流下樋３０が案内部材に対応する。流下路変換装置４０が流下路変換手段に対応する。
【図面の簡単な説明】
【００２６】
【図１】パチンコ機の外観を正面から見た説明図である。
【図２】回動下皿装置８の取付状態を示す斜視説明図である。
【図３】回動下皿装置８の構成部材を分解して示す斜視説明図である。
【図４】パチンコ機１の裏面を示す説明図である。
【図５】流下樋および下皿１０の接続構成を示す斜視説明図である。
【図６】図６（Ａ）は下皿１０が上方へ回動していない状態を示す斜視説明図であり、図６（Ｂ）は下皿１０が上方へ回動した状態を示す斜視説明図である。
【図７】図７（Ａ）は図６（Ａ）の状態を右側面から見た縦断面図であり、図７（Ｂ）は図６（Ｂ）の状態を右側面から見た縦断面図である。
【図８】従来のパチンコ機の正面説明図である。
【図９】図８に示したパチンコ機に備えられた下皿を右側面から見た部分説明図である。
【符号の説明】
【００２７】
１    パチンコ機
１ａ  パチンコ機本体
６    上皿
８    回動下皿装置
１０    下皿
１６    下皿球抜きレバー
２０    補助皿部材
２４ａ  補助皿球抜き孔（球抜き孔）
２５    補助皿球抜きレバー（操作手段）
２５ａ  開閉板（開閉部材）
３０    球抜き流下樋（案内部材）
４０    流下路変換装置（流下路変換手段）
５４    開口部
【図１】
2006000359.tif 000003
【図２】
2006000359.tif 000004
【図３】
2006000359.tif 000005
【図４】
2006000359.tif 000006
【図５】
2006000359.tif 000007
【図６】
2006000359.tif 000008
【図７】
2006000359.tif 000009
【図８】
2006000359.tif 000010
【図９】
2006000359.tif 000011